【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
透過性を維持しつつ、特定の機能性を与えるために透過孔壁を有する多孔性基材を機能化する工程であって、
（ａ）前記基材をプラズマ場で前処理する段階と、
（ｂ）真空チャンバ内で前記機能性を備えたモノマーをフラッシュ蒸発させて、蒸気を発生させる段階と、
（ｃ）前記多孔性基材の前記孔壁を被覆している前記モノマーの被膜を形成するため、前記前処理する段階の約１秒以内に前記多孔性基材に前記蒸気を凝結させる段階と、
（ｄ）前記多孔性基材の前記孔壁に機能化された高分子層を形成するため前記被膜を硬化させる段階とを含み、
前記凝結させる段階が、前記高分子層を最大で約３．０μｍの厚さに制限する蒸気密度及び滞在時間の条件下で実行される、工程。
【請求項２】
無機物層を前記高分子層上に真空蒸着する段階を更に含む、請求項１に記載の工程。
【請求項３】
前記無機物層が、金属及びセラミックからなるグループから選択される、請求項２に記載の工程。
【請求項４】
モノマーをフラッシュ蒸発させ、前記無機物層に当該モノマーの第２被膜を凝結させる段階と、前記無機物層に第２高分子層を形成するため、前記第２被膜を硬化させる更なる段階とを含む、請求項２に記載の工程。
【請求項５】
モノマーをフラッシュ蒸発させ、前記無機物層に当該モノマーの第２被膜を凝結させる段階と、前記無機物層に第２高分子層を形成するため、前記第２被膜を硬化させる更なる段階とを含む、請求項３に記載の工程。
【請求項６】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記モノマーが、撥水性及び撥油性機能を提供するフッ化モノマーである、請求項１に記載の工程。
【請求項７】
前記モノマーが着色添加物を含む、請求項６に記載の工程。
【請求項８】
前記モノマーが殺生物添加物を含む、請求項６に記載の工程。
【請求項９】
前記モノマーが難燃性機能を提供する臭素化モノマーを含む、請求項６に記載の工程。
【請求項１０】
前記多孔性基材が、ポリプロピレン、ポリエチレン、ポリエステル、ナイロン、レイヨン、紙、綿、ウール、グラスファイバ、炭素繊維、セルロースに基づく繊維、及び金属からなるグループから選択される多孔性材料を含み、前記モノマーが、親水性機能を提供するヒドロキシル、カルボキシル、スルホン酸、アミノ、アミド、又はエーテルからなるグループから選択される官能基で機能化される、請求項１に記載の工程。
【請求項１１】
前記モノマーが着色添加物を含む、請求項１０に記載の工程。
【請求項１２】
前記モノマーが殺生物添加物を含む、請求項１０に記載の工程。
【請求項１３】
前記モノマーが難燃性機能を提供する臭素化物質を含む、請求項１０に記載の工程。
【請求項１４】
前記モノマーが、金属キレート化機能を提供するアクリレート化アセチルアセトネート・モノマーを含む、請求項１０に記載の工程。
【請求項１５】
前記多孔性基材が、ポリプロピレン、ポリエチレン、フルオロポリマー、ポリエステル、ナイロン、レイヨン、紙、綿、ウール、グラスファイバ、炭素繊維、セルロースに基づく繊維、及び金属からなるグループから選択される多孔性材料を含み、前記モノマーが、プロトン伝導性機能を提供するスルホン酸基である、請求項１に記載の工程。
【請求項１６】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記モノマーがスルホン酸基を含み、イオン伝導性機能を備えた高分子電解質を提供するため、前記硬化段階に先だって前記モノマー上に金属リチウムを共蒸着する段階を更に含む、請求項１に記載の工程。
【請求項１７】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記金属層が低い放射率機能を提供する、請求項２に記載の工程。
【請求項１８】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記金属層が低い放射率機能を提供する、請求項４に記載の工程。
【請求項１９】
機能化された多孔性基材であって、
前記基材をプラズマ場で前処理する段階と、
蒸気を発生させるため真空チャンバ内で所望の機能性を備えたモノマーをフラッシュ蒸発させる段階と、
前記多孔性基材の孔壁を被覆するための前記モノマーの被膜を形成するため前記前処理する段階の約１秒以内に前記多孔性基材に前記蒸気を凝結させる段階と、
前記多孔性基材の前記孔壁に機能化された高分子層を形成するため前記被膜を硬化させる段階とを含み、
前記凝結させる段階が、前記高分子層を最大で約３．０μｍの厚さに制限する蒸気密度及び滞在時間の条件下で実行される、
工程によって製造した機能化された多孔性基材。
【請求項２０】
前記工程が無機物層を前記高分子層上に真空蒸着する段階を更に含む、請求項１９に記載の機能化された多孔性基材。
【請求項２１】
前記無機物層が、金属及びセラミックからなるグループから選択される、請求項２０に記載の機能化された多孔性基材。
【請求項２２】
前記工程がモノマーをフラッシュ蒸発させ、前記無機物層に当該モノマーの第２被膜を凝結させる段階と、前記無機物層に第２高分子層を形成するため、前記第２被膜を硬化させる更なる段階とを含む、請求項２０に記載の機能化された多孔性基材。
【請求項２３】
前記工程がモノマーをフラッシュ蒸発させ、前記無機物層に当該モノマーの第２被膜を凝結させる段階と、前記無機物層に第２高分子層を形成するため、前記第２被膜を硬化させる更なる段階とを含む、請求項２１に記載の機能化された多孔性基材。
【請求項２４】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記モノマーが撥水性及び撥油性機能を提供するフッ化モノマーである、請求項１９に記載の機能化された多孔性基材。
【請求項２５】
前記モノマーが着色添加物を含む、請求項２４に記載の機能化された多孔性基材。
【請求項２６】
前記モノマーが殺生物添加物を含む、請求項２４に記載の機能化された多孔性基材。
【請求項２７】
前記モノマーが難燃性機能を提供する臭素化モノマーを含む、請求項２４に記載の機能化された多孔性基材
【請求項２８】
前記多孔性基材が、多孔性材料からなるポリプロピレン、ポリエチレン、ポリエステル、ナイロン、レイヨン、紙、綿、ウール、グラスファイバ、炭素繊維、セルロースに基づく繊維、及び金属からなるグループから選択される多孔性材料を含み、前記モノマーが、親水性機能を提供するヒドロキシル、カルボキシル、スルホン酸、アミノ、アミド、又はエーテルからなるグループから選択される官能基で機能化される、請求項１９に記載の機能化された多孔性基材。
【請求項２９】
前記モノマーが着色添加物を含む、請求項２８に記載の機能化された多孔性基材。
【請求項３０】
前記モノマーが殺生物添加物を含む、請求項２８に記載の機能化された多孔性基材。
【請求項３１】
前記モノマーが難燃性機能を提供する臭素化物質を含む、請求項２８に記載の機能化された多孔性基材。
【請求項３２】
前記モノマーが、金属キレート化機能を提供するアクリレート化アセチルアセトネート・モノマーを含む、請求項２８に記載の機能化された多孔性基材。
【請求項３３】
前記多孔性基材が、ポリプロピレン、ポリエチレン、フルオロポリマー、ポリエステル、ナイロン、レイヨン、紙、綿、ウール、グラスファイバ、炭素繊維、セルロースに基づく繊維、及び金属からなるグループから選択される多孔性材料を含み、前記モノマーが、プロトン伝導性機能を提供するスルホン酸基である、
請求項１９に記載の機能化された多孔性基材。
【請求項３４】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記モノマーがスルホン酸基を含み、イオン伝導性機能を備えた高分子電解質を提供するため、前記硬化段階に先だって前記モノマー上に金属リチウムを共蒸着する段階を更に含む、請求項１９に記載の機能化された多孔性基材。
【請求項３５】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記金属層が低い放射率機能を提供する、請求項２１に記載の機能化された多孔性基材。
【請求項３６】
前記多孔性基材が、ポリプロピレン、ポリエチレン、フルオロポリマー、ポリエステル、ナイロン、レイヨン、紙、ウール、綿、グラスファイバ、炭素繊維、セルロースに基づく繊維、及び金属からなるグループから選択される多孔性材料を含み、前記金属層が低い放射率機能を提供する、請求項２３に記載の機能化された多孔性基材。
【請求項３７】
前記モノマーが親水性の静電散逸機能を組み込んだ、請求項１９に記載の機能化された多孔性基材。
【請求項３８】
前記モノマーがｐＨ感知機能を組み込んだ、請求項１９に記載の機能化された多孔性基材。
【請求項３９】
前記モノマーが香気放出機能を組み込んだ、請求項１９に記載の機能化された多孔性基材。
【請求項４０】
前記工程が前記基材の反対側に異なる機能をもたらすため使用される、請求項１９に記載の機能化された多孔性基材。